(57)【要約】【課題】利用しやすさが改善されるよう構成されたネジキャップパッケージを提供する。【解決手段】コンタクトレンズパッケージ（１０）は、コンタクトレンズを収容するための容器を有するホルダー（１２）、および、容器内のコンタクトレンズを密封するための密封部を有するキャップ（１４）を含む。キャップ（１４）は、ホルダーに取り付けられ、容器が形成されているホルダーの端部から、ホルダーの反対側の端部に向けて移動可能である。キャップが、ホルダーの反対側の端部に向けて移動すると、容器が形成されているホルダーの端部は、密封部を破り、よって、コンタクトレンズをパッケージから取り除くことができるようになる。【選択図】図１
2009543735.tif 000002
【特許請求の範囲】
【請求項１】
コンタクトレンズ用パッケージにおいて、
一端部に形成された容器を有するホルダーであって、前記容器がコンタクトレンズを収容するよう寸法決めおよび成形されている、ホルダーと、
前記ホルダーに対して移動可能なように、前記ホルダーに取り付けられたキャップであって、前記キャップは、前記ホルダーの前記一端部に近接して位置付けられており、前記コンタクトレンズを前記容器内に密封するための密封部を有し、前記キャップは、前記キャップが前記ホルダーの前記一端部の近位にある、第１の位置から、前記キャップが前記ホルダーの前記一端部と、前記ホルダーの反対側の端部との中間にある、第２の位置へと移動可能であり、それにより、前記キャップが、その前記第１の位置から前記第２の位置へと移動すると、前記ホルダーの前記一端部が、前記密封部を破る、キャップと、
を具備する、パッケージ。
【請求項２】
請求項１に記載のパッケージにおいて、
前記ホルダーは、一連の外側ネジ山を含む、パッケージ。
【請求項３】
請求項２に記載のパッケージにおいて、
前記キャップは、一連の内側ネジ山であって、前記ホルダーの前記外側ネジ山にネジにより噛み合うよう構成された、一連の内側ネジ山を含む、パッケージ。
【請求項４】
請求項３に記載のパッケージにおいて、
前記ホルダーの前記外側ネジ山、および、前記キャップの前記内側ネジ山は、相互に協働して、前記キャップを前記ホルダーに接続させる、パッケージ。
【請求項５】
請求項４に記載のパッケージにおいて、
前記ホルダーの前記外側ネジ山、および、前記キャップの前記内側ネジ山は、相互に協働して、前記ネジキャップが前記ホルダーに対して回転させられる際に、前記ホルダーと前記キャップとの間の相対的な動きを可能にする、パッケージ。
【請求項６】
請求項５に記載のパッケージにおいて、
前記ホルダーは、前記ホルダーの前記反対側の端部に内側穴部を有する、パッケージ。
【請求項７】
請求項６に記載のパッケージにおいて、
前記ホルダーの前記一端部は、前記容器に近接する環状リムを含む、パッケージ。
【請求項８】
請求項７に記載のパッケージにおいて、
前記キャップは、前記キャップを握って回転させるための、握り手段を含む、パッケージ。
【請求項９】
請求項８に記載のパッケージにおいて、
前記握り手段は、前記キャップに形成された、長手方向に延びる複数の溝を含む、パッケージ。
【請求項１０】
請求項９に記載のパッケージにおいて、
前記キャップは、前記密封部を支持する環状エッジを含む、パッケージ。
【請求項１１】
請求項１０に記載のパッケージにおいて、
前記密封部は、透明な高障壁性ポリマーラミネートで作成される、パッケージ。
【請求項１２】
請求項１０に記載のパッケージにおいて、
前記密封部は、透明な高障壁性同時押し出し形成物で作成される、パッケージ。
【請求項１３】
コンタクトレンズ用パッケージにおいて、
一端部に形成された容器を有するホルダーと、
既定量のコンタクトレンズ溶液と共に前記容器に保存されたコンタクトレンズと、
前記ホルダーに対して移動可能なように、前記ホルダーに取り付けられたキャップであって、前記キャップは、前記ホルダーの前記一端部に近接して位置付けられており、前記コンタクトレンズを前記容器内に密封するための密封部を有し、前記キャップは、前記キャップが前記ホルダーの前記一端部の近位にある、第１の位置から、前記キャップが前記ホルダーの前記一端部と、前記ホルダーの反対側の端部との中間にある、第２の位置へと移動可能であり、それにより、前記キャップが、その前記第１の位置から前記第２の位置へと移動すると、前記ホルダーの前記一端部が、前記密封部を破る、キャップと、
を具備する、パッケージ。
【請求項１４】
請求項１３に記載のパッケージにおいて、
前記ホルダーは、一連の外側ネジ山を含む、パッケージ。
【請求項１５】
請求項１４に記載のパッケージにおいて、
前記キャップは、一連の内側ネジ山であって、前記ホルダーの前記外側ネジ山にネジにより噛み合うよう構成された、一連の内側ネジ山を含む、パッケージ。
【請求項１６】
請求項１５に記載のパッケージにおいて、
前記ホルダーの前記外側ネジ山、および、前記キャップの前記内側ネジ山は、相互に協働して、前記キャップを前記ホルダーに接続させる、パッケージ。
【請求項１７】
請求項１６に記載のパッケージにおいて、
前記ホルダーの前記外側ネジ山、および、前記キャップの前記内側ネジ山は、相互に協働して、前記ネジキャップが前記ホルダーに対して回転させられる際に、前記ホルダーと前記キャップとの間の相対的な動きを可能にする、パッケージ。
【請求項１８】
請求項１７に記載のパッケージにおいて、
前記キャップは、前記キャップを握って回転させるための、握り手段を含む、パッケージ。
【請求項１９】
請求項１８に記載のパッケージにおいて、
前記握り手段は、前記キャップに形成された、長手方向に延びる複数の溝を含む、パッケージ。
【請求項２０】
請求項１９に記載のパッケージにおいて、
前記ホルダーは、前記ホルダーの前記反対側の端部に内側穴部を有する、パッケージ。
【発明の詳細な説明】
【開示の内容】
【０００１】
〔発明の分野〕
本発明は、コンタクトレンズパッケージに関し、より詳細には、利用しやすさが改善されるよう構成されたネジキャップパッケージに関する。
【０００２】
〔発明の背景〕
通常、コンタクトレンズは、ブリスターパックに梱包されている。各ブリスターパックは、１つのレンズを備え、レンズを収納するための凹型容器、および、容器に取り外し可能に取り付けられた、容器中にレンズを封じ込めるためのカバーを有する。従来のブリスターパックは、コンタクトレンズを輸送および保存するための簡便な手段を提供するものの、コンタクトレンズの簡単な利用手段を両立的に（consistently）提供するようにはデザインされていない。したがって、パッケージに封じ込まれたコンタクトレンズの利用しやすさを両立的に提供するコンタクトレンズパッケージが必要とされている。
【０００３】
〔発明の概要〕
本発明は、上記で論じられた先行技術の不便さおよび短所を、新たな改善されたコンタクトレンズパッケージを提供することによって、克服するものであり、このコンタクトレンズパッケージは、一端部に形成された容器を有するホルダーを含み、この容器は、コンタクトレンズを収容するよう寸法決めおよび成形されている。パッケージはまた、ホルダーに取り付けられたキャップを含み、このキャップは、容器が形成されているホルダーの端部から、ホルダーの反対側の端部に向けて移動可能である。キャップは、容器が形成されているホルダーの端部に近接して位置付けられており、容器内にコンタクトレンズを密封するための密封部を有する。キャップは、キャップが、容器が形成されているホルダーの端部の近位にある、第１の位置から、キャップがホルダーの両端部の中間にある、第２の位置へと移動可能である。キャップが第１の位置から第２の位置へと移動すると、容器が形成されているホルダーの端部が、密封部を破る。
【０００４】
本発明をより完全に理解するために、添付の図面と共に考慮される例示的実施形態についての以下の詳細な説明を参照されたい。
【０００５】
〔発明の詳細な説明〕
図１〜図５は、ホルダー１２、および、ホルダー１２に対して移動可能なように構成されたネジキャップ１４を含む、ネジキャップパッケージ１０（またはコンタクトレンズパッケージ）を示している。ホルダー１２は、主要部分１６、および、主要部分１６に取り付けられた基部１８を有する。ホルダー１２の主要部分１６は、以下で論じる用途のため、ネジキャップ１４に噛み合うように構成された一連の外側ネジ山２０を有する。
【０００６】
図３を詳細に参照すると、ホルダー１２の主要部分１６は、環状リム２２、開口部２４、および凹型容器２６を含み、それらの全てが、ホルダー１２の一端部に形成されている。容器２６は、コンタクトレンズ２８、および、コンタクトレンズを水分を含んだ状態に維持するための、生理食塩水などの従来のコンタクトレンズ溶液３０を収納するように（図４および図５を参照）、寸法決めおよび成形されている。ホルダー１２は、ホルダー１２の反対側の端部内に形成された内側穴部３２（図４および図５を参照）を有する。代替的に、ホルダー１２は、完全に中まで固い固体であってよい。
【０００７】
図１〜図３を参照すると、ネジキャップ１４は、管状エッジ３８を有する円筒形外壁３６、および、中央開口部４０を含む（図３を参照）。外壁３６は、外壁の外面に沿って離間して配された、長手方向に延びる複数の溝４２を有する。溝４２は、使用者がネジキャップ１４をしっかりと握ってネジキャップ１４を簡単に回転させることができるよう、設計されている。破断可能な密封部４４が、中央開口部４０を覆うように、ネジキャップ１４の管状エッジ３８に添え付けられている。密封部４４は、確実な防水性の密封を提供し、かつ、既定の力の適用に応じて破断するよう構成された、任意の適切な材料（例えば、透明な高障壁性ポリマーラミネート（clear high barrier polymer laminate ）または透明な高障壁性同時押し出し形成物（clear high barrier coextrusion））で、作成され得る。
【０００８】
再び図３を参照すると、ネジキャップ１４はまた、ホルダー１２の主要部分１６の外側ネジ山２０にネジにより係合し、かつ噛み合うよう構成された、一連の内側ネジ山４６を含む。内側ネジ山４６および外側ネジ山２０は、相互に協働し、よって、ネジキャップ１４がホルダー１２にしっかり接続され、また、ネジキャップ１４がホルダー１２に対し回転させられる際にネジキャップ１４とホルダー１２との間の相対的な動きが可能となる。
【０００９】
図４を参照すると、ネジキャップ１４は、ネジキャップ１４の内側ネジ山４６がホルダー１２の外側ネジ山２０に噛み合うように、ホルダー１２に取り付けられ、破断可能な密封部４４は、ホルダー１２の開口部２４の上に位置付けられる。この位置で、ネジキャップ１４の密封部４４は、ホルダー１２の開口部２４に形成された容器２６を覆い、それによって、容器２６内に保存されたコンタクトレンズ２８を封じ込め、密封する。ネジキャップパッケージ１０は、図１に示されるように、このような閉じた位置で組み立てられ、使用者に配送される。
【００１０】
図５を参照すると、ネジキャップパッケージ１０は、以下のように開封される。使用者は、自身の指でネジキャップ１４を握り、次にネジキャップ１４をホルダー１２に対して回転させる。このようにして、ネジキャップ１４は、ホルダー１２を覆うように下方にねじれ込まれる（通される）。その結果、ネジキャップ１４の破断可能な密封部４４がホルダー１２の環状リム２２に対して押付けられ、それによって、密封部４４を破り、容器２６内に保存されたコンタクトレンズ２８を露呈させる（図２を参照）。次に、コンタクトレンズ２８は、ネジキャップパッケージ１０から取り除かれることができる。
【００１１】
本発明は、多くの利点および利益を提供することが、理解されるべきである。例えば、本発明は、利用しやすさが改善されるよう構成されたネジキャップパッケージ１０を提供する。
【００１２】
本明細書に記載された実施形態は、専ら例示であって、当業者であれば、本発明の精神および範囲を逸脱することなく、多くの変更および改変をなし得ることが理解されるだろう。例えば、内側ネジ山４６および外側ネジ山２０は、相互に協働して、ネジキャップ１４とホルダー１２との間の相対的な動きを可能にするが、他の機構を利用して、ネジキャップ１４とホルダー１２との間の相対的な動きを可能にすることもできる。こうしたあらゆる変更および改変が、添付の特許請求の範囲に定められるように本発明の範囲に含まれることが意図されている。
【００１３】
〔実施の態様〕
（１）コンタクトレンズ用パッケージにおいて、
一端部に形成された容器を有するホルダーであって、前記容器がコンタクトレンズを収容するよう寸法決めおよび成形されている、ホルダーと、
前記ホルダーに対して移動可能なように、前記ホルダーに取り付けられたキャップであって、前記キャップは、前記ホルダーの前記一端部に近接して位置付けられており、前記コンタクトレンズを前記容器内に密封するための密封部を有し、前記キャップは、前記キャップが前記ホルダーの前記一端部の近位にある、第１の位置から、前記キャップが前記ホルダーの前記一端部と、前記ホルダーの反対側の端部との中間にある、第２の位置へと移動可能であり、それにより、前記キャップが、その前記第１の位置から前記第２の位置へと移動すると、前記ホルダーの前記一端部が、前記密封部を破る、キャップと、
を具備する、パッケージ。
（２）実施態様１に記載のパッケージにおいて、
前記ホルダーは、一連の外側ネジ山を含む、パッケージ。
（３）実施態様２に記載のパッケージにおいて、
前記キャップは、一連の内側ネジ山であって、前記ホルダーの前記外側ネジ山にネジにより噛み合うよう構成された、一連の内側ネジ山を含む、パッケージ。
（４）実施態様３に記載のパッケージにおいて、
前記ホルダーの前記外側ネジ山、および、前記キャップの前記内側ネジ山は、相互に協働して、前記キャップを前記ホルダーに接続させる、パッケージ。
（５）実施態様４に記載のパッケージにおいて、
前記ホルダーの前記外側ネジ山、および、前記キャップの前記内側ネジ山は、相互に協働して、前記ネジキャップが前記ホルダーに対して回転させられる際に、前記ホルダーと前記キャップとの間の相対的な動きを可能にする、パッケージ。
（６）実施態様５に記載のパッケージにおいて、
前記ホルダーは、前記ホルダーの前記反対側の端部に内側穴部を有する、パッケージ。
（７）実施態様６に記載のパッケージにおいて、
前記ホルダーの前記一端部は、前記容器に近接する環状リムを含む、パッケージ。
（８）実施態様７に記載のパッケージにおいて、
前記キャップは、前記キャップを握って回転させるための、握り手段を含む、パッケージ。
（９）実施形態８に記載のパッケージにおいて、
前記握り手段は、前記キャップに形成された、長手方向に延びる複数の溝を含む、パッケージ。
（１０）実施態様９に記載のパッケージにおいて、
前記キャップは、前記密封部を支持する環状エッジを含む、パッケージ。
【００１４】
（１１）実施態様１０に記載のパッケージにおいて、
前記密封部は、透明な高障壁性ポリマーラミネートで作成される、パッケージ。
（１２）実施態様１０に記載のパッケージにおいて、
前記密封部は、透明な高障壁性同時押し出し形成物（clear high barrier coextrusion）で作成される、パッケージ。
（１３）コンタクトレンズ用パッケージにおいて、
一端部に形成された容器を有するホルダーと、
既定量のコンタクトレンズ溶液と共に前記容器に保存されたコンタクトレンズと、
前記ホルダーに対して移動可能なように、前記ホルダーに取り付けられたキャップであって、前記キャップは、前記ホルダーの前記一端部に近接して位置付けられており、前記コンタクトレンズを前記容器内に密封するための密封部を有し、前記キャップは、前記キャップが前記ホルダーの前記一端部の近位にある、第１の位置から、前記キャップが前記ホルダーの前記一端部と、前記ホルダーの反対側の端部との中間にある、第２の位置へと移動可能であり、それにより、前記キャップが、その前記第１の位置から前記第２の位置へと移動すると、前記ホルダーの前記一端部が、前記密封部を破る、キャップと、
を具備する、パッケージ。
（１４）実施態様１３に記載のパッケージにおいて、
前記ホルダーは、一連の外側ネジ山を含む、パッケージ。
（１５）実施態様１４に記載のパッケージにおいて、
前記キャップは、一連の内側ネジ山であって、前記ホルダーの前記外側ネジ山にネジにより噛み合うよう構成された、一連の内側ネジ山を含む、パッケージ。
（１６）実施態様１５に記載のパッケージにおいて、
前記ホルダーの前記外側ネジ山、および、前記キャップの前記内側ネジ山は、相互に協働して、前記キャップを前記ホルダーに接続させる、パッケージ。
（１７）実施態様１６に記載のパッケージにおいて、
前記ホルダーの前記外側ネジ山、および、前記キャップの前記内側ネジ山は、相互に協働して、前記ネジキャップが前記ホルダーに対して回転させられる際に、前記ホルダーと前記キャップとの間の相対的な動きを可能にする、パッケージ。
（１８）実施態様１７に記載のパッケージにおいて、
前記キャップは、前記キャップを握って回転させるための、握り手段を含む、パッケージ。
（１９）実施態様１８に記載のパッケージにおいて、
前記握り手段は、前記キャップに形成された、長手方向に延びる複数の溝を含む、パッケージ。
（２０）実施態様１９に記載のパッケージにおいて、
前記ホルダーは、前記ホルダーの前記反対側の端部に内側穴部を有する、パッケージ。
【図面の簡単な説明】
【００１５】
【図１】本発明の一例示的実施形態に従って構築されたネジキャップパッケージの斜視図であり、閉じた位置にあるネジキャップパッケージを示している。
【図２】図１のネジキャップパッケージの斜視図であり、開いた位置にあるネジキャップパッケージを示している。
【図３】図１に示されたネジキャップパッケージの分解組み立て斜視図である。
【図４】閉じた位置にある、図１に示されるネジキャップパッケージの、分割線４−４に沿って取り、矢印の方向に見た、断面図である。
【図５】開いた位置にある、図２に示されるネジキャップパッケージの、分割線５−５に沿って取り、矢印の方向に見た、断面図である。
【図１】
2009543735.tif 000003
【図２】
2009543735.tif 000004
【図３】
2009543735.tif 000005
【図４】
2009543735.tif 000006
【図５】
2009543735.tif 000007
【国際調査報告】
2009543735.tif 000008
2009543735.tif 000009